(57)【要約】【課題】  幹線光ファイバーケーブルからドロップ線を分岐させるような場合に、自由な光ファイバーの敷設態様を実現し、敷設時の工事費や、メンテナンス費を低減する。【解決手段】  幹線ケーブル１０の光ファイバーケーブル１２を、余長をもたせて蛇行させた状態で支持する支持線１１と、ドロップ線２０の光ファイバーケーブル２２を、余長をもたせて蛇行させた状態で支持する支持線２１と、支持線１１と支持線２１とを連結する連結治具３０とを備えている。【選択図】  図２
2005266261.tif 000002
【特許請求の範囲】
【請求項１】
光ファイバーケーブルを敷設するための敷設構造であって、
第１の光ファイバーケーブルを、余長をもたせて蛇行させた状態で支持する第１の支持線と、
第２の光ファイバーケーブルを、余長をもたせて蛇行させた状態で支持する第２の支持線と、
前記第１の支持線と前記第２の支持線とを連結する連結治具と
を備えたことを特徴とする光ファイバーケーブルの敷設構造。
【請求項２】
前記連結治具は、前記第２の支持線を屈曲させて、前記第１の支持線に連結させることを特徴とする請求項１に記載の光ファイバーケーブルの敷設構造。
【請求項３】
前記連結治具は、
前記第１の光ファイバーケーブルに固定される第１の固定部と、
切断された前記第２の支持線の切断両端部がそれぞれ固定される第２の固定部と、
前記第１の固定部と前記第２の固定部とを緊結する緊結部と
から構成されることを特徴とする請求項１又は２に記載の光ファイバーケーブルの敷設構造。
【請求項４】
光ファイバーケーブルを敷設する方法であって、
第１の光ファイバーケーブルを、余長をもたせて蛇行させた状態で支持する第１の支持線と、第２の光ファイバーケーブルを、余長をもたせて蛇行させた状態で支持する第２の支持線とを連結することを特徴とする光ファイバーケーブルの敷設方法。
【請求項５】
前記第２の支持線は、屈曲させた状態で前記第１の支持線に連結されることを特徴とする請求項４に記載の光ファイバーケーブルの敷設方法。
【請求項６】
前記第２の支持線を連結箇所において切断し、この切断両端部のそれぞれを、連結治具を介して、前記第１の支持線に連結することを特徴とする請求項４又は５に記載の光ファイバーケーブルの敷設方法。
【請求項７】
前記第２の光ファイバーケーブルは、前記第１の光ファイバーケーブルから分岐されたドロップ線であることを特徴とする請求項４に記載の光ファイバーケーブルの敷設方法。
【発明の詳細な説明】
【技術分野】
【０００１】
本発明は、電柱や建物の壁面等の構造物に支持されて敷設される光ファイバーケーブルに係り、特に、幹線からドロップ線（分岐線）を分岐させるのに好適な光ファイバーケーブルの敷設構造及び敷設方法に関する。
【背景技術】
【０００２】
従来より、光ファイバーケーブル等は、電柱や建物の壁面に支持されて敷設されるとともに、ドロップ線と呼ばれる分岐線を、幹線から分岐させ、各加入者宅に引き込まれる。
【０００３】
かかるドロップ線の一般的な従来例を図６に示す。同図（ａ）に示すように、このドロップ線１０１は、内部に挿通された光ファイバー１０５（ここでは２心テープ心線）及びこの光ファイバー１０５にかかる引張力に対抗するための抗張力体１０７が、ポリエチレンの被覆１０９により矩形状断面内に一体化されている光ユニット１１１が、強度部材である円形断面の支持線１０３に指示される構成となっている。
【０００４】
そして、このような構成のドロップ線を加入者宅に引き込むには、同図（ｂ）に示すように、ドロップ線１０１は、電話局から延線された電柱１１３上の幹線光ファイバーケーブル１１５の端部に接続されたケーブル分岐接続箱１１７と、加入者宅１１９の成端箱１２１との間に配線されるとともに、ドロップ線１０１を、ドロップ線用取付金具１２３により電柱１１３や幹線光ファイバーケーブル１１５からドロップ線１０２を分岐させ、加入者宅１１９の構造物に固定し、支持させる。
【特許文献１】特開２００３−９８４１１号公報
【発明の開示】
【発明が解決しようとする課題】
【０００５】
しかしながら、従来からあるドロップケーブルを使用して図６の施工をした場合、分岐用連結治具を用いる際に、図６（ａ）に示すように、支持線と光ファイバーケーブルのダム部に切れ目がないため、分岐用連結治具を付ける際に、その部分の切り離し作業が必要となり、光ファイバーを損傷させる恐れがあった。また、支持線の連結により生じる張力が、光ファイバーケーブルに直接作用しファイバー破断の危険性もあった。
【０００６】
そこで、本発明は以上の点に鑑みてなされたもので、例えば、幹線光ファイバーケーブルからドロップ線を分岐させるような場合に、支持線の連結により生じる張力が光ファイバーケーブルに直接作用するのを回避し、光ファイバーケーブルの破損を防止するとともに、連結箇所の確保を容易なものとし、容易に自由な光ファイバーの敷設態様を実現し、敷設時の工事費や、メンテナンス費を低減することができる光ファイバーケーブルの敷設構造及び敷設方法を提供することをその課題とする。すなわち、本発明は、第１の光ファイバーケーブルを、余長をもたせて蛇行させた状態で支持する第１の支持線と第２の光ファイバーケーブルを、余長をもたせて蛇行させた状態で支持させることで、過大な張力が光ファイバーに作用するのを回避し、光ファイバーの破損等によるメンテナンスコストを下げることをその課題とする。
【課題を解決するための手段】
【０００７】
上記課題を解決するために、本発明は、光ファイバーケーブルを敷設するための敷設構造であって、第１の光ファイバーケーブルを、余長をもたせて蛇行させた状態で支持する第１の支持線と、第２の光ファイバーケーブルを、余長をもたせて蛇行させた状態で支持する第２の支持線と、第１の支持線と第２の支持線とを連結する連結治具とを備えたことを特徴とする。
【０００８】
なお、上記発明において、第１の光ファイバーケーブルは、幹線光ファイバーケーブルとすることができ、第２の光ファイバーケーブルは、第１の光ファイバーケーブルから分岐されたドロップ線とすることができる。
【０００９】
このような本発明によれば、例えば幹線である第１の光ファイバーケーブルの支持線に、ドロップ線である第２の光ファイバーケーブルの支持線を連結し、支持させることができるため、任意の箇所においてドロップ線を容易に分岐させることができる。この際、光ファイバーケーブルは、支持線に対して余長をもって蛇行させてあるため、連結箇所の確保が容易であるとともに、支持線の連結により生じる張力が、光ファイバーケーブルに直接作用するのを回避することができ、光ファイバーケーブルの破損を防止することができる。
【００１０】
上記発明において、連結治具は、第２の支持線を屈曲させて、第１の支持線に連結させることが好ましい。この場合には、幹線である第１の光ファイバーケーブルに対して、ドロップ線である第２の光ファイバーケーブルを垂直方向に容易に分岐させることが可能となり、多様な敷設態様を実現することができる。
【００１１】
上記発明において、連結治具は、第１の光ファイバーケーブルに固定される第１の固定部と、切断された第２の支持線の切断両端部がそれぞれ固定される第２の固定部と、第１の固定部と第２の固定部とを緊結する緊結部とから構成されることが好ましい。この場合には、ドロップ線である第２の光ファイバーケーブルを支持する第２の支持線の長さを、分岐箇所において調節することが可能となり、第２の光ファイバーケーブルの余長部分の長さを調節することができる。また、ドロップ線を切断した上で、切断両端部のそれぞれを幹線に連結することによって、ドロップ線に生じる張力をバランスよく幹線に伝達することができ、連結部に生じる応力を分散させることができる。
【００１２】
他の発明は、光ファイバーケーブルを敷設する方法であって、第１の光ファイバーケーブルを、余長をもたせて蛇行させた状態で支持する第１の支持線と、第２の光ファイバーケーブルを、余長をもたせて蛇行させた状態で支持する第２の支持線とを連結する。
【００１３】
このような他の発明によれば、例えば幹線である第１の光ファイバーケーブルの支持線に、ドロップ線である第２の光ファイバーケーブルの支持線を連結し、支持させることができるため、任意の箇所においてドロップ線を容易に分岐させることができる。この際、光ファイバーケーブルは、支持線に対して余長をもって蛇行させてあるため、連結箇所の確保が容易であるとともに、支持線の連結により生じる張力が、光ファイバーケーブルに直接作用するのを回避することができ、光ファイバーケーブルの破損を防止することができる。
【００１４】
上記発明において、第２の支持線は、屈曲させた状態で第１の支持線に連結されることが好ましい。この場合には、幹線である第１の光ファイバーケーブルに対して、ドロップ線である第２の光ファイバーケーブルを容易に垂直方向に分岐させることが可能となり、多様な敷設態様を実現することができる。
【００１５】
上記発明において、第２の支持線を連結箇所において切断し、この切断両端部のそれぞれを、連結治具を介して、第１の支持線に連結することが好ましい。この場合には、ドロップ線である第２の光ファイバーケーブルを支持する第２の支持線の長さを、分岐箇所において容易に調節することが可能となり、第２の光ファイバーケーブルの余長部分の長さを調節することができる。また、ドロップ線を切断した上で、切断両端部のそれぞれを幹線に連結することによって、ドロップ線に生じる張力をバランスよく幹線に伝達することができ、連結部に生じる応力を分散させることができる。
【発明の効果】
【００１６】
以上説明したように本発明によれば、例えば、幹線光ファイバーケーブルからドロップ線を分岐させるような場合に、支持線の連結により生じる張力が光ファイバーケーブルに直接作用するのを回避し、光ファイバーケーブルの破損を防止するとともに、連結箇所の確保を容易なものとし、容易に自由な光ファイバーの敷設態様を実現し、敷設時の工事費や、光ファイバーケーブルを、余長をもたせて蛇行させた状態で支持させることで、張力を光ファイバーにかけずに、メンテナンス費を低減することのできる。
【発明を実施するための最良の形態】
【００１７】
（ファイバーケーブル敷設構造の構成）
本発明の実施形態について図面を参照しながら説明する。図１は、本実施形態に係るファイバーケーブル敷設の説明図であり、（ａ）は、全体構成を示す概略構成図であり、（ｂ）は、（ａ）中のＡの部分を拡大して示す模式図である。
【００１８】
同図（ａ）に示すように、本実施形態では、電話局１から、電柱等の構造物６に支持されて、幹線ケーブル１０が敷設され、この幹線ケーブル１０からは、支線光ファイバーケーブル４０が分岐され、さらにこれら幹線・支線ケーブル１０，４０からは、加入者宅２に対してドロップ線２０が分岐されている場合を例に説明する。
【００１９】
そして、本実施形態に係る光ファイバーケーブル敷設構造３は、同図（ｂ）に示すように、これらの光ファイバーケーブルの各分岐点に適用される。なお、この分岐点においては、幹線ケーブル１０上にクロージャ７が設置され、ここにおいて、幹線ケーブル１０からドロップ線２０が分岐されるとともに、光ファイバ敷設構造３を介して、ドロップ線２０が屈曲され、幹線ケーブル１０に対して垂直方向に延設される。
【００２０】
図２は、光ファイバーケーブル敷設構造３を示す説明図であり、（ａ）は光ファイバーケーブル敷設構造３の斜視図、（ｂ）は光ファイバーケーブル敷設構造３に用いられる連結治具３０を拡大して示す斜視図である。なお、ここでは、図１中に示したＡの部分を例として説明する。
【００２１】
そして、光ファイバーケーブル敷設構造３は、同図（ａ）に示すように、第１の光ファイバーケーブルである幹線ケーブル１０と、第２の光ファイバーケーブルであるドロップ線２０との分岐点に構築され、第１の支持線である幹線ケーブル１０の支持線１１と、第２の支持線であるドロップ線２０の支持線２１ａ，２１ｂとを連結する連結治具３０とを備えている。
【００２２】
幹線ケーブル１０は、光ファイバーケーブル１２と、この光ファイバーケーブル１２を余長をもたせて蛇行させた状態で支持する支持線１１とから構成され、ドロップ線２０は、光ファイバーケーブル２２と、この光ファイバーケーブル２２を余長をもたせて蛇行させた状態で支持する支持線２１とから構成され、これらの支持線１１，２１ａ，２１ｂは、鋼線やより線等で形成されている。なお、本実施形態において、支持線２１は、幹線ケーブル１０との連結部分において、中途で切断され、切断された支持線２１ａ，２１ｂの両端が、連結治具３０に固定されている。
【００２３】
連結治具３０は、本実施形態では、支持線２１を屈曲させて支持線１１に連結させるように構成されており、具体的には、図２（ｂ）に示すように、支持線１１に固定される固定部３１と、切断された支持線２１ａ，２１ｂの切断両端部がそれぞれ固定される固定部３２，３３と、固定部３１と固定部３２，３３とを緊結する緊結部３４とから構成されている。
【００２４】
固定部３１は、支持線１２を把持する一対の把持部３１ａ及び３１ｂと、これらの把持部３１ａ，３１ｂの間隔を調整し、支持線１２への把持力を生じさせる締め付け用のボルトナット部３１ｃとから構成される。
【００２５】
固定部３２，３３は、板状体のプレート部３３ａ，３２ａと、これらプレート部３３ａ，３２ａの上面に配置され支持線を巻き回すための突起部３３ｂ，３２ｂとから構成される。
【００２６】
緊結部３４は、固定部３１の把持部３１ａに取り付けられたフック３４ａと、固定部３２，３３のプレート部３３ａ，３２ａの端部に緊結された環状ワイヤー３４ｂ，３４ｃとから構成され、フック３４ａに、環状ワイヤー３４ｂ，３４ｃを引掛けることにより、各固定部を相互に連結させる。
【００２７】
（幹線及びドロップ線の内部構造）
次いで、上述した幹線ケーブル１０及びドロップ線２０の内部構造について説明する。なお、本実施形態では、幹線及びドロップ線は同様の構成を有しており、ここでは、ドロップ線を例に説明する。図３は、ドロップ線の断面図であり、図４（ａ）は、ドロップ線の上面図、図４（ｂ）は、ドロップ線の断面斜視図、図５は、ドロップ線の斜視図である。
【００２８】
図３及び図４（ｂ）に示すように、ドロップ線２０は、鋼線やより線で形成された支持線２１と、光ファイバーケーブル２２とが、ダム部５により連結された構成となっている。支持線２１は、難燃ポリエチレンで形成された被覆２１１により覆われている。ダム部５は、所定間隔をおいて配置され、支持線２１と、光ファイバー１０５とを連結している。なお、本実施形態では、被覆２１１と、ダム部５と、光ファイバーケーブル２２の被覆とは一体成形されている。
【００２９】
光ファイバーケーブル２２は、石英系の光ファイバー心線を紫外線硬化樹脂で被覆して形成されたファイバーテープ心線２２２と、鋼線等からなるテンションメンバ２２１とを、難燃ポリエチレンで被覆して構成されている。光ファイバーケーブル２２には、全体として断面矩形状を成しているとともに、その長手方向に断面Ｖ字状のノッチ２２３が形成されている。このノッチ２２３は、ファイバーテープ心線２２２と同一高さ位置に形成されており、このノッチ２２３に沿って、光ファイバーケーブル２２を上下に裂くことによって、ファイバーテープ心線２２２を容易に露出させることができる。
（光ファイバーケーブルの敷設方法）
【００３０】
以上説明した光ファイバーケーブル敷設構造３を用いた光ファイバーケーブルの敷設方法の手順について説明する。
【００３１】
先ず、支持線２１を連結箇所において切断し、切断された支持線２１ａ及び２１ｂの切断端部のそれぞれを、連結治具３０の固定部３２及び３３に緊結する。
【００３２】
そして、固定部３２，３３の環状ワイヤー３４ｂ，３４ｃをフック３４ａに引掛けることにより、支持線１１と、ドロップ線２０とを連結する。
（光ファイバーケーブルの敷設構造及び敷設方法による効果）
【００３３】
このような本実施形態によれば、幹線ケーブル１０の支持線１１に、ドロップ線２０の支持線２１を連結し、支持させることができるため、電柱等の構造物がない場合であっても、任意の箇所においてドロップ線２０を分岐させることができる。この際、光ファイバーケーブル１２は、支持線１１に対して余長をもって蛇行させてあるため、連結箇所の確保が容易であるとともに、支持線１１，２１の連結により生じる張力が、光ファイバーケーブル１２に直接作用するのを回避することができ、光ファイバーケーブル１２の破損を防止することができる。
【００３４】
また、本実施形態において、連結治具３０は、支持線２１を切断させて、屈曲させ、支持線１１に連結させるため、幹線ケーブル１０に対して、ドロップ線２０を垂直方向に分岐させることが可能となり、多様な敷設態様を実現することができる。特に、本実施形態において、連結治具３０は、切断された支持線２１ａ，２１ｂの切断端部をそれぞれ固定するため、ドロップ線２０の支持線２１の長さを、分岐箇所において調節することが可能となり、光ファイバーケーブル２２の余長部分の長さを調節することができる。また、支持線２１を切断した上で、切断両端部のそれぞれを幹線ケーブル１０に連結することによって、ドロップ線２１ａ，２１ｂに生じる張力をバランスよく幹線ケーブル１０に伝達することができ、連結部に生じる応力を分散させることができる。
【図面の簡単な説明】
【００３５】
【図１】実施形態に係るファイバーケーブル敷設の説明図であり、（ａ）は、全体構成を示す概略構成図であり、（ｂ）は、（ａ）中のＡの部分を拡大して示す模式図である。
【図２】実施形態に係る光ファイバーケーブル敷設構造を示す説明図であり、（ａ）は光ファイバーケーブル敷設構造の斜視図、（ｂ）は光ファイバーケーブル敷設構造に用いられる連結治具を拡大して示す斜視図である。
【図３】実施形態に係るドロップ線の断面図である。
【図４】（ａ）は、実施形態に係るドロップ線の上面図、（ｂ）は、ドロップ線の断面斜視図である。
【図５】実施形態に係るドロップ線の斜視図である。
【図６】従来のドロップ線及びドロップ線の敷設方法を示す説明図である。
【符号の説明】
【００３６】
１…電話局
２…加入者宅
３…光ファイバーケーブル敷設構造
５…ダム部
６…構造物
１０…幹線ケーブル
１１，２１，２１ａ，２１ｂ…支持線
１２…光ファイバーケーブル
２０…ドロップ線
２２…光ファイバーケーブル
３０…連結治具
３１…固定部
３１ａ，３１ｂ…把持部
３１ｃ…ボルトナット部
３２，３３…固定部
３３ａ，３２ａ…プレート部
３３ｂ，３２ｂ…突起部
３４…緊結部
３４ａ…フック
３４ｂ，３４ｃ…環状ワイヤー
４０…支線光ファイバーケーブル
１０１…ドロップ線
１０３…支持線
１０５…光ファイバー
１０７…抗張力体
１０９…被覆
１１１…光ユニット
１１３…電柱
１１５…幹線光ファイバーケーブル
１１７…ケーブル分岐接続箱
１１９…加入者宅
１２１…成端箱
１２３…ドロップ線用取付金具
２１１…被覆
２２１…テンションメンバ
２２２…ファイバーテープ心線
２２３…ノッチ
【図１】
2005266261.tif 000003
【図２】
2005266261.tif 000004
【図３】
2005266261.tif 000005
【図４】
2005266261.tif 000006
【図５】
2005266261.tif 000007
【図６】
2005266261.tif 000008